(57)【要約】【課題】下段の石と中段の石および上段の石の三段重ね部分を連結棒とストッパーで確実に連結した簡単な構造により、地震の縦揺れや横揺れに対する耐震性を高めると共に、分解が容易で簡単に移動できる耐震墓構造を提供するものである。【解決手段】下段の石となる上台１の上部中心に下段縦溝６を形成し、ここに連結棒４の下部側を挿着して接着剤２３で固定し、この連結棒４の中間を中段の石となる蓮華２の貫通孔９を貫通させて、連結棒４の上部側を上段となる棹石３に形成した上段縦溝１０の内側に接着剤２３で固定されたキャップ１７の内側に着脱自在に挿着され、蓮華２と棹石３の間の隙間２６から金属板で形成されたストッパー２０を挿入し、この先端を前記キャップ１７に形成したスリット１８を通して、連結棒４の嵌合溝１１に着脱自在に嵌合して、上台１と蓮華２、棹石３を連結棒４で一体に連結したものである。【選択図】図６
2009180061.tif 000002
【特許請求の範囲】
【請求項１】
複数個の石材を重ねて構成される墓石構造の、下段の石と中段の石および上段の石の三段重ね部分を連結する構造であって、下段の石の上部中心に下段縦溝を形成し、この下段縦溝に連通して中段の石に上下に開孔した貫通孔を形成すると共に、この貫通孔を囲む中段の石の上面に、複数のスペーサーを取付け、更にこの上に重ねられる上段の石の底部中心に前記貫通孔と対向して連通する上段縦溝を形成し、これら下段縦溝と貫通孔および上段縦溝内にまたがって金属製の連結棒を挿着し、この連結棒は中間部に嵌合溝を設けた上部連結部と、下部連結部とを中間部材で長さ調整自在に一体に連結して構成され、前記下段の石の下段縦溝に連結棒の下部連結部を挿着して接着剤で固定し、中間部材と上部連結部の下部側を中段の石に開孔した貫通孔に位置させ、上部連結部を上段の石の上段縦溝内に位置させて、上部連結部の嵌合溝と対向する壁面にスリットを形成した筒状のキャップを前記上部連結部の上部側に着脱自在に被せて、このキャップの外周と前記上段の石に形成した上段縦溝の内側との間を接着剤で固定し、中段の石の上面とスペーサーを介して重ねた上段の石との間の隙間から前記キャップに形成したスリットを通して金属板で形成された板状のストッパーを挿入して、このストッパーを上部連結部の嵌合溝に着脱自在に嵌合したことを特徴とする耐震墓構造。
【請求項２】
中段の石に開孔した貫通孔に挿着した上部連結部の下部外周と、前記貫通孔の内周との間に隙間充填材を着脱自在に嵌入させて連結棒を中段の石に固定したことを特徴とする請求項１記載の耐震墓構造。
【請求項３】
板状のストッパーが、その長手方向に沿った片側に、連結棒の嵌合溝に嵌合するＵ形の溝を形成したことを特徴とする請求項１記載の耐震墓構造。
【請求項４】
（１）複数個の石材を重ねて構成される墓石構造の、下段の石と中段の石および上段の石の三段重ね部分を連結する耐震墓構造の組立て方法において、下段の石の上部中心に下段縦溝を形成し、この下段縦溝に連通して中段の石に上下に開孔した貫通孔を形成すると共に、この貫通孔を囲む中段の石の上面に複数のスペーサーを取付け、更にこの上に重ねられる上段の石の底部中心に前記貫通孔と対向して連通する上段縦溝を形成し、
（２）中間部に嵌合溝を設けた上部連結部と、下部連結部とを中間部材で長さ調整自在に一体に連結して構成された金属製の連結棒の下部連結部を、下段の石の下段縦溝内に挿着して接着剤で固定し、
（３）下段縦溝から突出した前記連結棒の中間部材と、嵌合溝を設けた上部連結部を、嵌合溝が中段の石の上面に位置するように、中段の石に開孔した貫通孔に貫通させて、中段の石を重ね、
（４）次いで中段の石の上面から突出した連結棒の上部連結部の上部側に、ここを囲むように、上部を閉塞し下部を開口すると共に、前記嵌合溝と対向する壁面にスリットを形成した筒状のキャップを被せ、
（５）次いでキャップのスリットを通して、ストッパーを連結棒の嵌合溝に着脱自在に嵌合して、連結棒とキャップを連結し、
（６）次いで、上段の石の前記上段縦溝の内側上部に接着剤を充填するか、または前記キャップの上部に接着剤を入れた破損可能な容器を載せ、
（７）次に、上段の石を下降させて、その接着剤を充填した上段縦溝の内側に、キャップをその上部側から挿入するか、また上段の石を下降させて、接着剤容器を載せたキャップをその上部側から挿入して、中段の石の上に重ね、この過程で接着剤が押出されて上段の石の上段縦溝とキャップとの間の隙間に充填されてキャップを固定することを特徴とする耐震墓構造の組立て方法。
【請求項５】
接着剤容器が多数の孔が開孔した紙または軟質プラスチックで筒状に形成されていることを特徴とする請求項４記載の耐震墓構造の組立て方法。
【請求項６】
連結棒の底部に、高さ調整用のアジャスターが取付けられていることを特徴とする請求項４記載の耐震墓構造の組立て方法。            
【発明の詳細な説明】
【技術分野】
【０００１】
本発明は、複数個の石材を重ねて構成される墓石構造の、下段の石と中段の石および上段の石の三段重ね部分を連結する耐震墓構造およびその組立て方法に関するものである。
【背景技術】
【０００２】
一般に墓石の構造は、芝台（下台）の上に、中台を重ね、この上に上台を重ね、一番上に棹石を重ねた構造となっている。この構造では、それぞれ別個に加工したものを単に積み重ねたものであるため、大きな地震が発生すると、重心の高い棹石が動いたり転倒したりすることがあった。
【０００３】
このため、上台の上部中心に縦溝を形成し、この上に重ねられる棹石の底部中心に前記縦溝と対向してこれと連通する縦溝を形成し、上台の縦溝に金属製連結棒の下部側を挿着して接着剤で固定し、棹石の縦溝内に接着剤を充填したり、連結棒に塗布してから、棹石の縦溝の内側に連結棒をその上部側から挿入し、棹石を下降させて上台の上に重ねて、上台と棹石を連結棒で連結して、地震の揺れに対して棹石の倒壊を防止していた（例えば特許文献１）。
【０００４】
この耐震構造では、上台の縦溝はその上面に、上方に向かって開口しているので、接着剤を充填して連結棒の下部側を確実に固定することができるが、上台の上に重ねられる棹石の縦溝は、その底面に下方に向かって開口しているので、接着剤を充填しても自重により流れ出してしまい、連結棒の上部側に塗布しても十分に隙間を埋められず棹石を確実に固定することができなかった。
【０００５】
また従来の耐震構造では、接着剤で固定してしまうので、石材店で墓石を展示する場合には固定できず、展示している間に地震が発生すると、棹石が倒壊してしまう問題があった。また墓地に一旦、設置した後、墓石を移転するような場合にも、棹石と上台が接合されて分解できないので、全体をそのまま運搬しなければならず大型の墓石の場合には、移転は極めて困難であった。
【特許文献１】実用新案登録第３０３１７４９号公報
【発明の開示】
【発明が解決しようとする課題】
【０００６】
本発明は上記問題点を改善し、複数個の石材を重ねて構成される墓石構造の、下段の石と中段の石および上段の石の三段重ね部分を、連結棒とストッパーで確実に連結した簡単な構造により、地震の縦揺れや横揺れに対する耐震性を高めると共に、分解や交換が容易で簡単に移動することができ、特に石材店で墓石を展示する場合や、一旦、設置した後、別の墓地に移転したり部品を交換する場合にも好適な耐震墓構造およびその組立て方法を提供するものである。
【課題を解決するための手段】
【０００７】
本発明の請求項１記載の耐震墓構造は、複数個の石材を重ねて構成される墓石構造の、下段の石と中段の石および上段の石の三段重ね部分を連結する構造であって、下段の石の上部中心に下段縦溝を形成し、この下段縦溝に連通して中段の石に上下に開孔した貫通孔を形成すると共に、この貫通孔を囲む中段の石の上面に、複数のスペーサーを取付け、更にこの上に重ねられる上段の石の底部中心に前記貫通孔と対向して連通する上段縦溝を形成し、これら下段縦溝と貫通孔および上段縦溝内にまたがって金属製の連結棒を挿着し、この連結棒は中間部に嵌合溝を設けた上部連結部と、下部連結部とを中間部材で長さ調整自在に一体に連結して構成され、前記下段の石の下段縦溝に連結棒の下部連結部を挿着して接着剤で固定し、中間部材と上部連結部の下部側を中段の石に開孔した貫通孔に位置させ、上部連結部を上段の石の上段縦溝内に位置させて、上部連結部の嵌合溝と対向する壁面にスリットを形成した筒状のキャップを前記上部連結部の上部側に着脱自在に被せて、このキャップの外周と前記上段の石に形成した上段縦溝の内側との間を接着剤で固定し、中段の石の上面とスペーサーを介して重ねた上段の石との間の隙間から前記キャップに形成したスリットを通して金属板で形成された板状のストッパーを挿入して、このストッパーを上部連結部の嵌合溝に着脱自在に嵌合したことを特徴とするものである。
【０００８】
請求項２記載の耐震墓構造は、請求項１において、中段の石に開孔した貫通孔に挿着した上部連結部の下部外周と、前記貫通孔の内周との間に隙間充填材を着脱自在に嵌入させて連結棒を中段の石に固定したことを特徴とするものである。
【０００９】
請求項３記載の耐震墓構造は、請求項１において、板状のストッパーが、その長手方向に沿った片側に、連結棒の嵌合溝に嵌合するＵ形の溝を形成したことを特徴とするものである。
【００１０】
本発明の請求項４記載の耐震墓構造の組立て方法は、（１）複数個の石材を重ねて構成される墓石構造の、下段の石と中段の石および上段の石の三段重ね部分を連結する耐震墓構造の組立て方法において、下段の石の上部中心に下段縦溝を形成し、この下段縦溝に連通して中段の石に上下に開孔した貫通孔を形成すると共に、この貫通孔を囲む中段の石の上面に複数のスペーサーを取付け、更にこの上に重ねられる上段の石の底部中心に前記貫通孔と対向して連通する上段縦溝を形成し、（２）中間部に嵌合溝を設けた上部連結部と、下部連結部とを中間部材で長さ調整自在に一体に連結して構成された金属製の連結棒の下部連結部を、下段の石の下段縦溝内に挿着して接着剤で固定し、（３）下段縦溝から突出した前記連結棒の中間部材と、嵌合溝を設けた上部連結部を、嵌合溝が中段の石の上面に位置するように、中段の石に開孔した貫通孔に貫通させて、中段の石を重ね、（４）次いで中段の石の上面から突出した連結棒の上部連結部の上部側に、ここを囲むように、上部を閉塞し下部を開口すると共に、前記嵌合溝と対向する壁面にスリットを形成した筒状のキャップを被せ、（５）次いでキャップのスリットを通して、ストッパーを連結棒の嵌合溝に着脱自在に嵌合して、連結棒とキャップを連結し、（６）次いで、上段の石の前記上段縦溝の内側上部に接着剤を充填するか、または前記キャップの上部に接着剤を入れた破損可能な容器を載せ、（７）次に、上段の石を下降させて、その接着剤を充填した上段縦溝の内側に、キャップをその上部側から挿入するか、また上段の石を下降させて、接着剤容器を載せたキャップをその上部側から挿入して、中段の石の上に重ね、この過程で接着剤が押出されて上段の石の上段縦溝とキャップとの間の隙間に充填されてキャップを固定することを特徴とするものである。
【００１１】
請求項５記載の耐震墓構造の組立て方法は、請求項４において、接着剤容器が多数の孔が開孔した紙または軟質プラスチックで筒状に形成されていることを特徴とするものである。
【００１２】
請求項６記載の耐震墓構造の組立て方法は、請求項４において、連結棒の底部に、高さ調整用のアジャスターが取付けられていることを特徴とするものである。
【発明の効果】
【００１３】
本発明に係る請求項１記載の耐震墓構造によれば、下段の石の下段縦溝に、連結棒の下部側が挿着され、この連結棒の中間を中段の石の貫通孔を貫通させて、連結棒の上部側を、上段の石に形成した上段縦溝の内側に挿着されて接着剤で固定されたキャップの内側に着脱自在に挿着し、中段の石と上段の石との間の隙間から金属板で形成されたストッパーを挿入して、この先端を前記キャップに形成したスリットを通して、連結棒の嵌合溝に着脱自在に嵌合して、連結棒とキャップを連結したので、下段と中段および上段の石が連結棒で一体に連結され、横揺れや縦揺れの地震が発生しても、中段や上段の石の移動や倒壊を確実に防止することができる。またストッパーを引き抜くことにより、連結棒とキャップとの連結が解除されて、下段と中段および上段の石を簡単に分離できるので、石材店で展示されている状態から墓地に設置する場合や、他の墓地に移転したり部品を交換する場合でも、運搬や組立が容易である。
【００１４】
請求項２記載の耐震墓構造によれば、中段の石に開孔した貫通孔に挿着した上部連結部の下部外周と、前記貫通孔の内周との間に隙間充填材を嵌入させて固定したので、中段の石を確実に固定して耐震性を向上させることができる。
【００１５】
請求項３記載の耐震墓構造によれば、板状のストッパーが、その長手方向に沿った片側に連結棒の嵌合溝と嵌合するＵ形の溝が形成されているので、スリットの一方向から挿入して、連結棒の嵌合溝にワンタッチで嵌合させることができる。
【００１６】
本発明に係る請求項４記載の耐震墓構造の組立て方法によれば、下段の石の下段縦溝に接着剤を充填して、連結棒の下部側を前記下段縦溝内に挿着して接着剤で固定してから、中段の石を重ね、更に連結棒の上部側を囲むように筒状のキャップを被せ、上段の石の予め接着剤を注入した上段縦溝の内側にキャップを挿入するか、またはキャップの上部に、接着剤を入れた破損可能な容器を載せて、上段の石を下降させることにより、接着剤が押出されて上段の石の上段縦溝とキャップ外周との間の隙間に充填されて上段の石とキャップが固定される。更に連結棒の嵌合溝に、上段の石に固定された筒状のキャップのスリットを通してストッパーを着脱自在に挿入することにより、嵌合溝とキャップが連結されるので、横揺れや縦揺れの地震が発生しても、中段や上段の石の移動や倒壊を確実に防止することができる。またストッパーを引き抜くことにより、連結棒とキャップとの連結が解除されて、下段と中段および上段の石が簡単に分離できるので、運搬や組立、交換が容易である。
【００１７】
また請求項５記載の耐震墓構造の組立て方法によれば、接着剤容器が多数の孔が開孔した紙または軟質プラスチックで筒状に形成されているので、接着剤を充填したままの状態ではその粘性により孔から流出することがないが、上段の石を下げていくと上段縦溝で押されて容易に潰れ、速やかに孔から流出することができる。
【００１８】
また請求項６記載の耐震墓構造の組立て方法によれば、金属製の連結棒の底部に、高さ調整用のアジャスターが取付けられているので、下段の石の下段縦溝の深さや中段の石の貫通孔の深さが多少変化しても、連結棒の嵌合溝の位置を、中段の石の上面に合わせて簡単に調整することができる。
【発明を実施するための最良の形態】
【００１９】
以下本発明の実施の一形態を図１ないし図８を参照して詳細に説明する。図６において１は下段の石となる上台、２はこの上台１の上に重ねる中段の石となる蓮華、３は蓮華の上に重ねる上段の石となる棹石、４は金属製連結棒である。
【００２０】
図１に示すように下段の石となる上台１の上部中心には、上部が開口した中空円筒状の下段縦溝６が形成され、この下段縦溝６を囲む上台１の上面にゴムなどの弾性材で形成された複数のスペーサー８が取付けられている。また中段の石となる蓮華２の中心には下段縦溝６と連通して上下に開孔した貫通孔９が形成されている。更にこの貫通孔９を囲む蓮華２の上面に図２に示すようにゴムなどの弾性材で形成された複数のスペーサー８が取付けられている。この蓮華２の上に重ねられる上段の石となる棹石３の底部中心に図６に示すように前記貫通孔９と連通する下部が開口した中空円筒状の上段縦溝１０が形成されている。
【００２１】
また金属製の連結棒４は真鍮やステンレスなどの金属で形成され、図１に示すように中間部に環状の嵌合溝１１を設けた円柱状の上部連結部４Ａと、ボルトで形成された中間部材４Ｂと、下部連結部４Ｃとで構成されている。上部連結部４Ａの下部と、下部連結部４Ｃの上部の中心にはねじ溝４Ｄ、４Ｄが形成され、ここに中間部材４Ｂに形成したねじ山４Ｅが螺合している。更に下部連結部４Ｃの下部の中心にはねじ溝４Ｄが形成され、ここにボルト状の高さ調整用のアジャスター１２が螺合して、全体の長さや嵌合溝１１の位置を調整できるようになっている。なお１３は下部連結部４Ｃの外周に形成された環状のくびれ部である。
【００２２】
また前記連結棒４の円柱状をなす上部連結部４Ａは、下部側に大径部１４Ａ、中間にこれよりやや外径の小さい中径部１４Ｂが形成され、この境界部に段部１４Ｃが形成され、この上方の中径部１４Ｂの側面に嵌合溝１１が形成され、更に上端側に、上方に向かって外径が縮小したテーパー面１４Ｄが形成されている。
【００２３】
１７は上部を閉塞し下部を開口した金属製のキャップで、前記連結棒４の上部連結部４Ａの上部側に、ここを囲むように被せて段部１４Ｃの上に支持したものである。更にキャップ１７の下部側の両壁面には、図２に示すように前記嵌合溝１１と対向する位置にスリット１８、１８が１８０度の間隔で形成されている。
【００２４】
またキャップは、図１に示すように外周に複数のくびれ部１３が間隔をおいて形成され、一番下のくびれ部１３に発泡プラスチックで形成された弾性のあるパッド１９が取付けられている。また貫通孔９の上部側内周と、上部連結部４Ａの外周との間には、弾性材リングを複数に分割した隙間充填材２７を嵌入されて連結棒４を固定するようになっている。
【００２５】
２０は板状のストッパーで例えばステンレス鋼のバネ板で形成され、図３に示すように、その長手方向に沿った片側にＵ形の溝２１を形成したもので、筒状のキャップ１７のスリット１８、１８を通して、ストッパー２０のＵ形の溝２１を連結棒４の環状の嵌合溝１１に嵌合させる。
【００２６】
次に耐震墓構造を組立てる方法について説明する。図１に示すように予め下段の石となる上台１の上面中央に、上部が開口した中空円筒状の下段縦溝６を加工しておく。またこの上台１の上に重ねる中段の石となる蓮華２の中心に、下段縦溝６と連通する貫通孔９を開孔しておく。またこの蓮華２の上に重ねられる上段の石となる棹石３の底部中心に、図６に示すように前記貫通孔９と連通する下部が開口した中空円筒状の上段縦溝１０を形成しておく。
【００２７】
次に図１に示すように上台１に加工した下段縦溝６の周囲の上面に、４個のゴムなどの弾性材で形成された複数のスペーサー８を接着剤で固定しておく。また連結棒４は下段縦溝６と上段縦溝１０および貫通孔９の深さに応じて、ボルト状の中間部材４Ｂを捩じって上部連結部４Ａと下部連結部４Ｃの間隔を調整し、嵌合溝１１が蓮華２の上面に位置するように長さを調整しておく。
【００２８】
次に、連結棒４の下部連結部４Ｃを上台１の下段縦溝６内に挿入して、高さ調整用のアジャスター１２で連結棒４の取付け位置を微調整した後、粘性のあるペースト状の接着剤２３を下段縦溝６内に充填して連結棒４の下部連結部４Ｃを固定する。この場合、下部連結部４Ｃの外周には複数のくびれ部１３が形成され、更にボルト状のアジャスター１２が取付けられているので、この凹凸部に接着剤２３が回り込んで、硬化してくると確実に固定される。
【００２９】
次に上台１の上に蓮華２を重ねて、下段縦溝６から上方に突出した連結棒４の中間部材４Ｂと上部連結部４Ａを蓮華２の貫通孔９に貫通させる。次に図２に示すように貫通孔９の周囲の、蓮華２の上面にゴムなどの弾性材で形成された複数のスペーサー８を接着剤で固定する。次に図１に示すように連結棒４の上部連結部４Ａにキャップ１７を被せて、その下部を大径部１４Ａの上の段部１４Ｃで支持すると共に、スリット１８、１８を横方向に位置させてセットする。
【００３０】
キャップ１７の外周には、その下部側に発泡プラスチックテープなどで形成されたパッド１９を巻き付けて接着剤で接着する。なおパッド１９Ａは放射状に切り込みが形成されている。次に貫通孔９の上部側内周と、上部連結部４Ａの外周との間に、弾性材リングを複数に分割した隙間充填材２７を嵌入して連結棒４を固定する。
【００３１】
次に図３に示すように、筒状のキャップ１７のスリット１８、１８に長いストッパー２０を差し込んで、このＵ形の溝２１を連結棒４の上部連結部４Ａに形成した嵌合溝１１に嵌合させる。この後、図４に示すように棹石３を横にして、横になった上段縦溝１０の開口部から所定量の粘性のあるペースト状の接着剤２３を奥に注入する。
【００３２】
この後、図５に示すように棹石３を立てて、図示しないクレーンで吊り上げた状態から次第に下降させて、上段縦溝１０内にキャップ１７をその上部側から挿入していく。上段縦溝１０内に注入した接着剤２３は粘性があるので棹石３を立てても流下しない。棹石３を下げていくと、上段縦溝１０の天井面に注入されていた接着剤２３が押し出されて、上段縦溝１０とキャップ１７との間の隙間に順次充填されていく。
【００３３】
更に棹石３を下げていくと、図６に示すように蓮華２の上に、スペーサー８を介して重ねた状態となる。この結果、上段縦溝１０とキャップ１７との間に接着剤２３が充填され、パッド１９で止められて、接着剤２３の流出が阻止された状態で、時間の経過と共に接着剤２３がパテ状に硬化してくる。接着剤２３が硬化してキャップ１７が上段縦溝１０内に固定されたら、ステンレス製のバネ材で形成された板状のストッパー２０を、蓮華２と棹石３との間の隙間２６から横方向に引き出す。
【００３４】
この後、図７に示すように棹石３の幅より短いステンレス製のバネ材で形成されたストッパー２０を隙間２６から差し込んで、Ｕ形の溝２１を連結棒４のリング状の嵌合溝１１内に嵌合させる。この後、蓮華２と底面の周囲に図示しないパテを詰めて上台１と蓮華２との間の隙間２６の周囲を塞いでから、棹石３の底面の周囲にパテを詰めて蓮華２との間の隙間２６の周囲を塞いで完成させる。
【００３５】
このように組立てた耐震墓構造は、図６に示すように接着剤２３が硬化すると、上台１の下段縦溝６内に固定した連結棒４と、棹石３の上段縦溝１０内に固定したキャップ１７とが、ストッパー２０を介して連結され、この間の蓮華２が挟持された構造になる。この結果、上台１と蓮華２、棹石３の三段積み重ね部分が連結棒４を介して一体に連結され、横揺れの地震が発生しても、棹石３や蓮華２の横移動や倒壊を確実に防止することができる。
【００３６】
また縦揺れの地震が発生しても、板状のストッパー２０により、キャップ１７のスリット１８、１８と、上台１に固定された連結棒４の嵌合溝１１とが連結されているので、棹石３の浮き上がりが阻止される。また棹石３が僅かに浮き上がったとしてもストッパー２０はバネ材で形成されているので、その弾性により復帰して棹石３の倒壊を確実に防止することができる。
【００３７】
また石材店で展示されている状態では、図３に示すようにストッパー２０は長いものを取付け、棹石３の底面の周囲にはパテを充填しない状態にしておく。石材店で展示されている墓石が販売されて墓地に運搬する場合には、長いストッパー２０をスリット１８、１８から抜いて、上台１と、蓮華２、棹石３との連結を解除する。次に図示しないクレーンで棹石３を持ち上げると、図８に示すように棹石３と共にキャップ１７が上昇して、連結棒４から外れ、棹石３だけが持ち上げられる。この後、隙間充填材２７と蓮華２、上台１の順に取り外していく。
【００３８】
このように上台１と蓮華２、棹石３を分解して墓地に運搬し、設置場所で上台１を設置してから上記と逆の手順で、蓮華２を吊り下げてきて、上台１の上面から突出した連結棒４を貫通させる。この後、図７に示す短い板状のストッパー２０を差し込んで、キャップ１７のスリット１８、１８を貫通させて、Ｕ形の溝２１をリング状の嵌合溝１１に嵌合させて一体に連結する。次に、棹石３を吊り下げてきて、棹石３に取付けたキャップ１７の内側に連結棒４を挿入して蓮華２の上に重ねる。この後、棹石３の底面の周囲にパテを詰めて蓮華２との間の隙間２６の周囲を塞いで雨水の浸入を防いで耐震構造を完成させる。
【００３９】
図９ないし図１２は本発明の異なる他の実施の形態を示すもので、図９に示すように、接着剤２３を上台１の下段縦溝６内に充填してから、連結棒４を挿入してその下部連結部４Ｃを固定した後、上台１から突出した連結棒４の中間部材４Ｂと上部連結部４Ａを蓮華２の貫通孔９に貫通させ、次に貫通孔９の上部側内周と、上部連結部４Ａの外周との間に、弾性材リングを複数に分割した隙間充填材２７を嵌入して連結棒４を固定してからストッパー２０で連結するまでは前述と同様である。
【００４０】
キャップ１７の外周には、その下部側に発泡プラスチックテープなどで形成されたパッド１９Ａを巻き付けて接着剤で接着すると共に、キャップ１７の上部外周に発泡プラスチックテープなどで形成されたパッド１９Ｂを巻き付けて上下動自在に支持させておく。なおパッド１９Ａは放射状に切り込みが形成されている。
【００４１】
キャップ１７の上には、壁面に多数の孔２５を開孔した紙製の容器２４を載せる。次にこの容器２４に接着剤２３を所定量充填する。接着剤２３を充填したままの状態ではその粘性により孔２５から流出することがない。
【００４２】
この後、図１０に示すように図示しないクレーンで吊り上げた状態から次第に下降させて、上段縦溝１０内にキャップ１７の上に載せた紙製の容器２４を上部側から挿入していく。棹石３を下げていくと、紙製の容器２４の上部が上段縦溝１０の天井面に押し潰されて内部の接着剤２３が孔２５から流れ出し、上段縦溝１０とキャップ１７との間の隙間に順次充填されていき、図１１に示すようにキャップ１７は上段縦溝１０内に固定される。この時、上段縦溝１０とキャップ１７との間の隙間にはパッド１９Ｂが上下に摺動自在に取付けられて隙間の下部が塞がれているので、接着剤２３の下降に伴ってパッド１９Ｂも下降して接着剤２３が流れ出すことがない。
【００４３】
石材店で展示されている墓石が販売されて墓地に運搬する場合には、長いストッパー２０をスリット１８、１８から抜いて、上台１と、蓮華２、棹石３との連結を解除する。次に図示しないクレーンで棹石３を持ち上げると、図１２に示すように棹石３と共にキャップ１７が上昇して、連結棒４から外れ、棹石３だけが持ち上げられる。この後、隙間充填材２７、蓮華２、上台１の順に取り外していく。
【００４４】
なお上記説明では、中段の石として蓮華１を重ねた場合について示したが、この代わりにスリンを中段の石とした構造でも良い。また図１３は他の実施の形態を示すもので、下台２８の上に上台１を重ね、この上に蓮華２を介して棹石３を重ね、更にこの上に丸石２９と笠３０を重ねた墓石構造において、上台１と蓮華２および棹石３の三段重ね部分と、棹石３と丸石２９および笠３０の三段重ね部分にそれぞれ連結棒４で連結したものにも適用することができる。なお上記説明に限らず、三段重ね部分であれば、どの構造の連結にも適用することができる。
【００４５】
また連結棒４を断面円形の場合について説明したが、断面四角形など多角形状のものでも良く、またキャップも、これに合わせた断面多角形状のものでも良い。またキャップ１７の外周に取り付けるパッド１９Ａ、１９Ｂは、発泡プラスチックで形成されたものに限らず、ガスケットや不織布、０リングなどを用いても良い。またストッパー２０は上記構造に限らず、嵌合溝１１とキャップ１７を連結できる構造であれば他の構造でも良い。
【００４６】
また接着剤２３は孔２５を形成した紙製の容器２４に充填した場合について示したが、紙製に限らず、薄いプラスチック容器など破損可能な容器であれば良く、またプラスチックの袋に所定量の接着剤２３を予め充填しておいたものを用いても良い。このように棹石３の上段縦溝10が深い場合には、接着剤２３を充填した容器を用いるのが好ましいが、上段縦溝10が浅い場合には直接、注入しても良い。
【図面の簡単な説明】
【００４７】
【図１】本発明の実施の一形態による上台の下段縦溝と蓮華の貫通孔に連結棒を挿入して接着剤で固定し、連結棒にキャップを取付けたた状態を示す断面図である。
【図２】蓮華の上面から突出した連結棒に、キャップを取付けた状態を示す水平断面図である。
【図３】図２においてキャップのスリットにストッパーを挿着して、連結棒の嵌合溝に嵌合させた状態を示す水平断面図である。
【図４】横にした棹石の上段縦溝に接着剤を注入した状態を示す断面図である。
【図５】蓮華から突出した上部連結部を棹石の上段縦溝に挿入して、棹石を下降させている状態を示す断面図である。
【図６】図５の状態から棹石を蓮華の上に重ねて、連結棒とキャップとをストッパーで連結した状態を示す断面図である。
【図７】図６のキャップのスリットに短いストッパーを挿着して、連結棒の嵌合溝に嵌合させた状態を示す水平断面図である。
【図８】ストッパーを引き抜いて、蓮華の上に突出した連結棒から棹石を持ち上げて分離した状態を示す断面図である。
【図９】本発明の他の実施の形態による、キャップの上部に接着剤を充填した容器を載せた状態を示す断面図である。
【図１０】図９の状態からキャップに載せた接着剤の箱を棹石の上段縦溝に挿入して、棹石を下降させている状態を示す断面図である。
【図１１】図１０の状態から棹石を蓮華の上に重ねて、連結棒とキャップとをストッパーで連結した状態を示す断面図である。
【図１２】ストッパーを引き抜いて、蓮華の上に突出した連結棒から棹石を持ち上げて分離した状態を示す断面図である。
【図１３】本発明の他の実施の形態による、上台と蓮華および棹石の三段重ね部分と、棹石と丸石および笠の三段重ね部分をそれぞれ連結棒で連結した状態を示す墓石の正面図である。
【符号の説明】
【００４８】
１    上台      
２    蓮華  
３    棹石          
４    連結棒  
４Ａ  上部連結部  
４Ｂ  中間部材
４Ｃ  下部連結部
６    下段縦溝      
８    スペーサー  
９    貫通孔        
１０  上段縦溝      
１１  嵌合溝      
１２  アジャスター    
１３  くびれ部    
１７  キャップ      
１８  スリット      
１９  パッド      
２０  ストッパー      
２１  Ｕ形の溝    
２３  接着剤      
２４  容器        
２５  孔        
２６  隙間        
２７  隙間充填材
２８  下台      
２９  丸石      
３０  笠    
【図１】
2009180061.tif 000003
【図２】
2009180061.tif 000004
【図３】
2009180061.tif 000005
【図４】
2009180061.tif 000006
【図５】
2009180061.tif 000007
【図６】
2009180061.tif 000008
【図７】
2009180061.tif 000009
【図８】
2009180061.tif 000010
【図９】
2009180061.tif 000011
【図１０】
2009180061.tif 000012
【図１１】
2009180061.tif 000013
【図１２】
2009180061.tif 000014
【図１３】
2009180061.tif 000015